(57)【要約】【課題】ウォブル信号から同期信号を検出してＤＶＤ+Ｒ／ＲＷ等に記録する光ディスク装置において、書込み開始の最適なタイミングを生成することを可能とした方式を提供する。【解決手段】記録媒体から読み出したウォブル信号を再生し、このウォブル信号からウォブルデータ、チャンネルクロック及びウォブルクロックを復調し、復調したウォブルクロックとウォブル信号から同期信号を生成し、同期信号を復調されたウォブルクロックの開始エッジから確定遅延期間遅延させた遅延同期信号を生成し、記録媒体に書き込む書込み開始タイミングを、遅延同期信号により決定される書き込み開始タイミングより少なくとも確定遅延期間早く開始させて書き込む光ディスク装置とする。【選択図】図１
2007087543.tif 000002
【特許請求の範囲】
【請求項１】
書き込み可能な記録媒体から読み出したウォブル信号を再生して増幅するウォブル信号再生増幅回路と、
増幅された前記ウォブル信号からウォブルクロック及びウォブルデータを復調するとともに、前記ウォブルクロックを逓倍して得られる期間Ｔの周期を有するチャンネルクロックを生成するウォブル信号復調回路と、
前記復調されたウォブルデータ及びウォブルクロックから同期信号を検出する同期信号検出回路と、
前記同期信号を所定期間遅延させて、前記生成されたチャンネルクロックに同期した遅延同期信号を生成する同期信号遅延回路と、
前記記録媒体への書き込み開始タイミングを、前記遅延同期信号により定まる書き込み開始タイミングよりも、期間ｎＴ（ｎは０以上の整数値）の確定遅延期間、早く開始させることを決定する書き込み開始位置決定回路と、を備えた光ディスク装置。
【請求項２】
前記確定遅延期間は、前記所定期間よりも長い請求項１に記載の光ディスク装置。
【請求項３】
前記ウォブルクロックに基づいて検出された前記同期信号は前記ウォブルクロックの開始エッジから不定期間遅延しており、前記確定遅延期間は、少なくとも前記不定期間と前記所定期間とを加えた期間よりも長い請求項１又は請求項２に記載の光ディスク装置。
【請求項４】
前記同期信号遅延回路は前記復調されたウォブルクロックを入力し、前記遅延同期信号は、前記同期信号検出回路から入力した前記同期信号を、前記同期信号の検出に用いられるウォブルクロックの開始エッジから、少なくとも前記確定遅延期間遅延させた遅延同期信号である請求項１から３のいずれか１項に記載の光ディスク装置。
【請求項５】
前記同期信号遅延回路は、前記確定遅延期間である期間ｎＴの整数値ｎを任意に設定可能な遅延量選択回路を有する請求項１〜４のいずれか１項に記載の光ディスク装置。
【請求項６】
書き込み可能な記録媒体から読み出したウォブル信号からウォブルデータとウォブルクロックを復調し、前記ウォブルクロックを逓倍してチャンネルクロックを生成し、前記ウォブルクロックと前記ウォブルデータから同期信号を生成し、前記同期信号を所定期間遅延させて前記チャンネルクロックに同期した遅延同期信号を生成し、前記記録媒体に書き込む書込み開始タイミングを、前記遅延同期信号により決定される書き込み開始タイミングより少なくとも前記チャンネルクロックの周期である期間Ｔを単位とするｎＴ（ｎは０以上の整数値）の期間早く開始させて、前記記録媒体に書き込む光ディスク書込み方法。
【請求項７】
前記期間ｎＴの整数値ｎを設定可能とする請求項６に記載の光ディスク書き込み方法。
【発明の詳細な説明】
【技術分野】
【０００１】
本発明は、ＤＶＤ+Ｒ／ＲＷなどの書込み可能な記録媒体へ書き込む光ディスク装置、及びその書込み方法に関する。
【背景技術】
【０００２】
ＤＶＤ+Ｒ／ＲＷの記録媒体には、ウォブル（ｗｏｂｂｌｅ）と呼ばれる蛇行した溝が形成されている。このウォブルには所定の変調が施されて多重化されたディスク上の物理アドレス及びディスクに関する情報が記録されている。これらの情報は、ディスクをスピンドルモータにより回転させ、レーザー光を照射してその反射光をピックアップにより検出してウォブル検出信号として取り出す（特許文献１参照）。このウォブル検出信号を復調してウォブルクロックやチャンネルクロック、また、アドレス情報を復調する。
【０００３】
図６は、ディスク上に記録されたウォブルから検出されたウォブル検出信号と、このウォブル検出信号を復調したウォブルデータを示す。ウォブル検出信号はウォブルクロックを単位として位相が１８０°反転した2種類の正弦波から構成されている。この2種類の異なる正弦波にデータ“１”とデータ“０”とを付与し、８データを単位情報としてウォブルデータが構成されている。図６（ａ）はウォブルデータが“１１１１００００”のパターンから構成され、同期信号を表している。同図（ｂ）はウォブルデータのパターンが“１０００１１００”でありデータ“１”を表し、同図（ｃ）はウォブルデータの“１０００００１１”でありデータ“０”を表し、それぞれアドレス情報を与えている。
【０００４】
ウォブルクロックの周波数は８１７．５ＫＨｚであり、その周期は１２２３．２ｎｓｅｃである。ウォブルクロックの一周期が一つのウォブルデータのデータ長に対応する。従って、ウォブルクロックを用いた検出回路によりウォブル信号を抽出したり、物理アドレスの抽出処理を行うことができる。また、チャンネルクロックはウォブルクロックを３２逓倍して得られる。例えば、ＤＶＤ+Ｒ／ＲＷの記録媒体を１倍速で書き込みを行う場合、チャンネルクロックの周波数は２６．１６ＭＨｚであり、その１周期（１Ｔ）は３８．２３ｎｓｅｃである。
【０００５】
一方、記録媒体に書き込む書込み位置はウォブル同期信号を基準として、チャンネルクロックの１Ｔ単位で定められ、書込み開始位置の許容精度はチャンネルクロックの±５Ｔと定義されている。ウォブル同期信号の周期は上記のとおりチャンネルクロックと比較して極めて長い。そのために、ウォブルクロックをそのまま書込み開始位置のタイミングに適用しようとすると、書き込み開始位置のタイミングを管理することが困難となる場合が生ずる。
【０００６】
特に、ウォブルクロックで同期信号を検出する場合、ＬＳＩ内部ではクロックツリーによる不確定な遅延量がウォブルクロックに含まれる。そのために、検出した同期信号にも不確定な遅延量が含まれることになり、書込み開始位置精度を悪化させていた。
【０００７】
図７は、データ処理を行うＬＳＩ内部のクロックツリーを現す概念図である。クロックツリーとは、あるクロックに繋がる複数の順序素子同士が同期通信できるように、クロックの始点から各順序素子のクロック端子までの遅延時間を調節するために構成されたツリーをいう。図７は、ウォブルデータ１０１を組合せ回路１０６や組合せ回路１０８でウォブルクロック１００に同期させて処理する場合を示している。フリップフロップ１０５、１０７、１０９を介してウォブルデータ１０１を各組合せ回路１０６や１０８で処理する場合に、フリップフロップ１０５、１０７、１０９にウォブルクロック１００が到達するまでに遅延時間が生ずる。この遅延時間は、ＬＳＩ素子の配置や配線により影響を受けるので、各素子間で遅延時間が一定しない。この問題を回避するために、ＬＳＩの配置や配線による遅延時間を予め予測して、クロック端子とウォブルクロックの生成回路との間に遅延回路であるバッファ１０２を必要な段数挿入して、ウォブルクロック１００の遅延によるバラツキを補正し、フリップフロップ１０５、１０７及び１０９をウォブルクロック１００に同期させて駆動する、という対策を採用している。
【特許文献１】特開２００５−３８５５９号公報
【発明の開示】
【発明が解決しようとする課題】
【０００８】
ウォブルクロックの遅延は、実際はＬＳＩ製造プロセス等のバラツキにも依存する。そのために、ＬＳＩ素子を実際に作成しなければクロックの遅延量を確定することができない、という課題があった。特に高倍速で書き込む場合にこの遅延のバラツキが問題となる。例えば、クロックツリーによるこれらの遅延量が６ｎｓｅｃあるとする。ＤＶＤ+Ｒ／ＲＷの４倍速で書き込みを行う場合にはチャンネルクロックの周期は９．６ｎｓｅｃとなるので１Ｔ以内である。しかし１６倍速になると、チャンネルクロックの周期は２．４ｎｓｅｃとなり、遅延量によるバラツキが２Ｔ以上となる。これは、他のバラツキを発生させる要因に対して大きな制限を課すものとなっている。
【０００９】
また、上記のような回路配置や配線による不確定な遅延を回避するために、信号処理を行う動作クロックとして周期の短いチャンネルクロックを用いることが考えられる。しかし、そうすると全ての順序素子を、周期３２Ｔをイネーブル（ｅｎａｂｌｅ）信号とするイネーブル付の順序素子としなければならず、そのために回路規模が増大し、消費電流が増大してしまうという課題があった。
【課題を解決するための手段】
【００１０】
本発明は上記課題を解決するために以下の手段を講じた。
【００１１】
書き込み可能な記録媒体から読み出したウォブル信号を再生して増幅するウォブル信号再生増幅回路と、増幅された前記ウォブル信号からウォブルクロック及びウォブルデータを復調するとともに、前記ウォブルクロックを逓倍して得られる期間Ｔの周期を有するチャンネルクロックを生成するウォブル信号復調回路と、前記復調されたウォブルデータ及びウォブルクロックから同期信号を検出する同期信号検出回路と、前記同期信号を所定期間遅延させて、前記生成されたチャンネルクロックに同期した遅延同期信号を生成する同期信号遅延回路と、前記記録媒体への書き込み開始タイミングを、前記遅延同期信号により定まる書き込み開始タイミングよりも、期間ｎＴ（ｎは０以上の整数値）の確定遅延期間、早く開始させることを決定する書き込み開始位置決定回路と、を備えた光ディスク装置とした。
【００１２】
請求項２に係る本発明においては、前記確定遅延期間は、前記所定期間よりも長い請求項１に記載の光ディスク装置とした。
【００１３】
請求項３に係る本発明においては、前記ウォブルクロックに基づいて検出された前記同期信号は前記ウォブルクロックの開始エッジから不定期間遅延しており、前記確定遅延期間は、少なくとも前記不定期間と前記所定期間とを加えた期間よりも長い請求項１又は請求項２に記載の光ディスク装置とした。
【００１４】
請求項４に係る本発明においては、前記同期信号遅延回路は前記復調されたウォブルクロックを入力し、前記遅延同期信号は、前記同期信号検出回路から入力した前記同期信号を、前記同期信号の検出に用いられるウォブルクロックの開始エッジから、少なくとも前記確定遅延期間遅延させた遅延同期信号である請求項１から３のいずれか１項に記載の光ディスク装置とした。
【００１５】
請求項５に係る本発明においては、前記同期信号遅延回路は、前記確定遅延期間である期間ｎＴの整数値ｎを任意に設定可能な遅延量選択回路を有する請求項１〜４のいずれか１項に記載の光ディスク装置とした。
【００１６】
請求項６に係る本発明においては、書き込み可能な記録媒体から読み出したウォブル信号からウォブルデータとウォブルクロックを復調し、前記ウォブルクロックを逓倍してチャンネルクロックを生成し、前記ウォブルクロックと前記ウォブルデータから同期信号を生成し、前記同期信号を所定期間遅延させて前記チャンネルクロックに同期した遅延同期信号を生成し、前記記録媒体に書き込む書込み開始タイミングを、前記遅延同期信号により決定される書き込み開始タイミングより少なくとも前記チャンネルクロックの周期である期間Ｔを単位とするｎＴ（ｎは０以上の整数値）の期間早く開始させて、前記記録媒体に書き込む光ディスク書込み方法とした。
【００１７】
請求項７に係る本発明においては、前記期間ｎＴの整数値ｎを設定可能とする請求項６に記載の光ディスク書き込み方法とした。
【発明の効果】
【００１８】
本発明によれば、同期信号としてチャンネルクロックを用いることなくウォブルクロックを用いることができるので、それぞれの回路素子に周波数の高いチャンネルクロックを入力し、このチャンネルクロックからイネーブル信号を検出するイネーブルつきの順序素子を用いる必要がなく、回路面積が増大せず、消費電流の増加を防止することができる。
【００１９】
更に、クロックツリー後のウォブルクロックから検出した同期信号に不確定な遅延が生じたとしても、予め不確定な遅延時間の最大値を予測し、この最大値遅延期間よりも大きく、開始タイミングをチャンネルクロックに同期させた確定遅延期間を設定して同期信号を遅延させ、記録媒体に書き込む書込み開始タイミングをこの確定遅延期間を考慮して決定する。そのために、全ての順序素子に周波数の高いチャンネルクロックを用いることなく不確定な遅延時間を排除して記録媒体上に書き込む書込み開始タイミングを決定することができ、記録媒体上の書き込み位置の精度を向上させることができる。
【発明を実施するための最良の形態】
【００２０】
以下、本発明の実施の形態を説明する。
【００２１】
光ディスク１からなる書込み可能な記録媒体上には案内溝が設けられ、この案内溝にはわずかに蛇行するウォブルが形成されている。このウォブルには多重化された情報が記録されている。記録媒体上のウォブルにレーザー光を照射してその反射光を電気信号に変換し、ウォブル信号再生増幅回路５によりウォブル信号として再生する。再生されたウォブル信号からウォブルクロックとそのウォブルクロックを逓倍して得られるチャンネルクロックとウォブルデータをウォブル信号復調回路６にて復調する。復調されたウォブルクロックはクロックツリー前のクロックであり、記録媒体上の物理的な位置及びその位置に記録されたデータに対応させることができる。従って、ウォブルクロックを単位としてウォブルデータの処理を行うことができる。
【００２２】
同期信号検出回路７はウォブルデータと復調されたウォブルクロックから同期信号を検出する。検出された同期信号にはクロックツリーに基づく不確定な不定時間が含まれている。従って、この同期信号に基づいて記録媒体への書き込み開始タイミングを決定しようとすると、書き込むべきデータの記録媒体上での位置が不確定となって、位置が定まらないことになる。
【００２３】
同期信号遅延回路８はこの不確定な遅延を含む同期信号を入力し、この入力した同期信号を所定期間遅延させた遅延同期信号を生成する。この場合に、所定期間遅延させた同期信号の開始エッジを、同期信号を検出するために用いたクロックツリー前のウォブルクロックの開始エッジを基準として、期間ｎＴ（ｎは０より大きい整数値）経過した後のチャンネルクロックに同期させる。このようにして、クロックツリー前のウォブルクロックの開始エッジから期間ｎＴの確定遅延期間後に開始エッジを有する遅延同期信号を生成する。この結果、たとえ同期信号に不確定な遅延を生じている場合であっても、この不確定な不定期間をキャンセルする確定遅延期間を付与した遅延同期信号を生成させる。
【００２４】
書き込み開始位置決定回路９はこの遅延同期信号を入力し、遅延同期信号に基づいて決定される記録媒体への書き込み開始位置、即ち書き込み開始タイミングを、少なくとも上記確定遅延時間早く開始するように書き込み開始タイミングを決定する。その結果、同期信号がクロックツリーに起因する不確定な遅延を含んでいたとしても、この不確定な遅延に影響を受けることなく、記録媒体への書き込み開始タイミングを高精度で決定することができる。
【００２５】
また、上記確定遅延期間ｎＴは同期信号を意図的に遅延させた所定期間よりも少なくとも長く設定する。更に書き込み開始位置の精度を上げるために、予め設定したクロックツリーによる最大値延期間と上記意図的に遅延させた所定期間とを加えた期間と等しく、又は、長く設定する。この設定の際には、ウォブル信号復調回路６から同期信号検出回路７までの位置関係、引き回す配線、同期信号検出回路の回路構成等を考慮する。また、上記整数値ｎを任意に設定可能な遅延量選択回路１４を構成して、整数値ｎを外部から任意に選択できるようにすることができる。
【００２６】
以下、本発明の実施の形態を図面を用いて説明する。
【００２７】
図１は、本実施の形態の光ディスク装置を示す機能ブロック図である。
【００２８】
書き込み可能な記録媒体である光ディスク１をスピンドルモータ２で回転させる。光ディスク１にレーザー光を照射して記録されたウォブルに多重化された情報を含む反射光をピックアップ３にて検出する。検出された信号をウォブル信号再生増幅回路５により再生増幅してウォブル信号を生成する。生成されたウォブル信号から回転制御信号を検出してサーボ４に与え、スピンドルモータ２の回転制御を行う。再生増幅されたウォブル信号はウォブル信号復調回路６にて復調され、ウォブルクロック、チャンネルクロック及びウォブルデータを生成する。
【００２９】
同期信号検出回路７は、ウォブルデータとウォブルクロックとを入力して、ウォブル信号からアドレス情報やこれに周期的に含まれている同期信号等を検出する。すでに説明したように、検出された同期信号には不確定な不定期間が含まれている。そこで、同期信号遅延回路８は、同期信号検出回路７からの同期信号に、更に所定の遅延時間を加えた遅延同期信号を生成する。遅延同期信号は、チャンネルクロックのクロックに同期させて生成する。記録媒体への書き込み開始タイミングの精度はチャンネルクロックの一周期である１Ｔの単位で規定されているからである。
【００３０】
書き込み開始位置決定回路９は、同期信号遅延回路８で生成された遅延同期信号を入力し、この遅延同期信号に基づいて記録媒体である光ディスク１への書き込み開始タイミングを決定する。書き込み開始タイミングの決定の際には、遅延同期信号により決定される書き込み開始タイミングを、少なくとも、予め決定されている確定遅延期間早く書き込み開始タイミングを生成する。このように定められた期間書き込み開始タイミングを早くすることにより、不確定な不定期間を除去して、光ディスク１上の物理的に記録された同期信号あるいはアドレスにバラツキを最小限にして記録することを可能とする。
【００３１】
確定遅延期間は、クロックツリーから予測される同期信号の最大遅延期間、及び、これに含まれる遅延期間のバラツキを考慮して、これらの最大値よりも大きく設定しておく。また、確定遅延期間の基準時を確定させるために、遅延同期信号はチャネルクロックに同期させる。例えば、チャネルクロックのクロック立ち上がりエッジに同期して遅延同期信号を立ち上がらせる。このようにして、書き込み開始タイミングを１Ｔ以内の精度で決定することができる。なお、ウォブル信号復調回路６により復調されたクロックツリー前ウォブルクロックは、記録媒体である光ディスク１に記録された同期信号の位置とは時間的ズレを生じている。しかしこの時間的ズレは予め確定可能な時間差である。従って、書き込み開始タイミングはこの時間差を考慮して決定する必要がある。
【００３２】
書き込み開始位置決定回路９は、システムコントローラー２０から入力した制御信号により、ライトストラテジィ生成回路１０に対して少なくとも確定遅延期間早く書き込みを開始させる書き込み開始タイミング信号を出力し、ライトストラテジィ生成回路１０は、レーザードライバー１１に書き込みデータを出力し、記録媒体である光ディスク１への書き込みを開始する。
【００３３】
図２は、クロックツリーによる不確定な遅延期間と確定遅延期間を説明するためのタイミングチャート図である。
【００３４】
最上段が１Ｔの周期を有するチャンネルクロックを表し、ウォブル信号復調回路６においてウォブルクロックを逓倍して得られる周期の短いクロックである。
【００３５】
次段が、クロックツリー前のウォブル信号復調回路６で生成されたウォブルクロックを表す。ウォブルクロックは時刻Ｔｏで開始し、開始エッジはチャンネルクロックの立ち上がりに同期している。ウォブルクロックの周期は３２Ｔであり、ウォブルクロックの８周期、即ち２５６Ｔを単位として同期信号やアドレス情報が読み出される。時刻Ｔｏは、記録媒体である光ディスク１に記録された同期信号の位置に対応させることができる。
【００３６】
次段が、クロックツリー後のウォブルクロックの信号を表している。クロックツリー後は回路配置や配線等の影響を受けるので、不確定な遅延時間を内包している。この不確定な遅延である不定期間δＴで表している。
【００３７】
次段が、同期信号検出回路７によって検出された同期信号を表している。この同期信号には、不確定な不定期間δＴを含むウォブルクロックにより検出され、そのためにＴｏからδＴの期間遅延して開始する。
【００３８】
最下段が、検出された同期信号を同期信号遅延回路８によって所定期間遅延させた遅延同期信号を表している。この遅延同期信号は、クロックツリー前のウォブルクロックの開始エッジから６Ｔ期間後のチャンネルクロックの立ち上がりエッジに同期させて開始する。従って、本実施の形態においてはｎ＝６とし、この６Ｔを確定遅延期間としている。この遅延同期信号の確定遅延期間は、クロックツリー前のウォブルクロックを基準として予め設定しておく遅延期間である。従って、クロックツリーに起因する不定期間δＴがＬＳＩ製造プロセスのバラツキ等によってＬＳＩを実際に製造してみなければ定まらない場合であっても、δＴの最大期間を予め予測しておき、これよりも少し長い期間同期信号を遅延させることにより、不確定な不定期間の遅延の影響を受けることのない遅延同期信号を生成することができる。また、後述するように、同期信号遅延回路８においてこの確定遅延期間を任意に設定することもできる。
【００３９】
なお、上記実施の形態においては、遅延同期信号をチャンネルクロックの立ち上がりに同期させているが、１８０°位相をずらしてチャンネルクロックの立下りに同期させてもよいことはもちろんである。その結果、遅延同期信号は少なくともチャンネルクロックの周期である１Ｔ以内の精度で確定させることができる。
【００４０】
図３は、上記図２において説明した遅延同期信号を生成する同期信号遅延回路８のブロック図である。同期信号検出回路７は、ウォブル信号復調回路６において復調されたウォブルデータとクロックツリー後のウォブルクロックを入力して同期信号を出力する。そのために、この同期信号には不確定な不定期間δＴが含まれている。
【００４１】
フリップフロップ（以下ＦＦと記載する。）１２−１は、データ端子Ｄにウォブル信号復調回路６で復調されたウォブルクロックを入力し、クロック端子ＣＬにチャンネルクロックを入力し、ウォブルクロックの開始である立ち上がりエッジをほぼチャンネルクロックの周期である１Ｔ遅延させて端子Ｑから出力する。ＦＦ１２−２、ＦＦ１２−３、ＦＦ１２−４、ＦＦ１２−５は順次１Ｔを遅延させる動作を繰り返す。従って、ＦＦ１２−５の端子Ｑからは、５Ｔ遅延したウォブルクロックが出力される。ＡＮＤ回路１３は、５段目のＦＦ１２−５の端子Ｑからの出力と、６段目のＦＦ１２−６の端子Ｑからの出力を反転した出力を入力し、ＦＦ１２−７のイネーブル信号を生成する。このイネーブル信号は、５段目のＦＦ１２−５の端子Ｑに現れる５Ｔ遅延したウォブルクロックの立ち上がりエッジに同期した期間１Ｔのパルスからなる。
【００４２】
ＦＦ１２−７はデータ端子Ｄに同期信号を、クロック端子にチャンネルクロックを、イネーブル端子にＡＮＤ回路からのイネーブル信号をそれぞれ入力して、遅延同期信号を生成する。ＦＦ１２−７はイネーブル信号に同期してＦＦ動作を開始し、チャンネルクロックを１Ｔ遅延させる。従って、同期信号検出回路７において検出された同期信号は、イネーブル信号の立ち上がりエッジから１Ｔ遅延した合計期間６Ｔ遅延した遅延同期信号としてＦＦ１２−７の端子Ｑから出力される。
【００４３】
上記実施の形態においては６段（期間６Ｔ）の遅延を行っているが、クロックツリーによる不確定な不定期間δＴを考慮して、これを十分キャンセルできる任意の確定遅延期間を決定することができる。
【００４４】
図４は、書き込み開始位置決定回路９において、書き込み開始タイミングを表すタイミングチャートである。なお、理解を容易にするために本タイミングチャートにおいては、記録媒体上に記録された同期信号の位置とウォブル信号復調回路で復調された対応するウォブルクロックとの間に時間的ズレが発生していないものとして現している。
【００４５】
同図の上段から、記録媒体である光ディスク１に記録された同期信号、同期信号検出回路７において検出された不確定な不定期間δＴを含む同期信号、同期信号遅延回路８から出力される遅延同期信号、書き込み開始位置決定回路９から出力される書き込み開始タイミングをそれぞれ表している。
【００４６】
記録媒体である光ディスク１に記録された同期信号に対して、同期信号検出回路７から出力される同期信号は不定期間δＴの不確定な遅延を内包している。光ディスク１に記録された同期信号の開始タイミングはウォブル信号復調６において生成されたウォブルクロックの立ち上がりエッジに対応する。このウォブルクロックの立ち上がりエッジから期間ｎＴの確定遅延期間だけ遅延させた遅延同期信号を同期信号遅延回路８において生成する。書き込み開始位置決定回路９は、遅延同期信号により定まる書き込み開始タイミングよりも確定遅延期間だけ早く書き込み開始タイミングをライトストラテジィ生成回路１０に与える。この結果、不確定な不定期間δＴの遅延の影響を受けないで、光ディスク１にデータを書き込むことができる。
【００４７】
なお、書き込み開始タイミングは上記確定遅延期間よりも期間Ｔを単位として長い期間を設定することができる。また、実際には光ディスク上に記録された同期信号とウォブル信号復調回路６で復調された対応するウォブルクロックとの時間差が存在する。従って、この時間差を考慮して確定遅延期間を設定する。
【００４８】
図５は、確定遅延期間を任意に設定可能な同期信号遅延回路８の回路ブロック図を示す。図３に示した同期信号遅延回路８と異なる部分は、ウォブルクロックを遅延させるＦＦ１２−１からＦＦ１２−６と同期信号を遅延させる最終段のＦＦ１２−７との間に遅延期間を選択的に設定するための遅延量選択回路１４を設けた点である。
【００４９】
ＦＦ１２−１はそのデータ端子Ｄにウォブルクロックを、クロック端子ＣＬにはチャンネルクロックを入力し、ウォブルクロックを約１Ｔの遅延を行い端子Ｑから出力する。ＦＦ１２−２からＦＦ１２−６までの各段においてそれぞれ１Ｔ遅延したウォブルクロックを端子Ｑから出力する。ＦＦ１２−２からＦＦ１２−５の各端子Ｑからの出力を切替回路１５−１へ入力する。ＦＦ１２−３からＦＦ１２−６の各端子Ｑからの出力を切替回路１５−２へ入力する。切替回路１５―１及び１５−２はそれぞれ遅延量選択信号を入力し、ＦＦ１２−２とＦＦ１２−３の出力、ＦＦ１２−３とＦＦ１２−４の出力、ＦＦ１２−４とＦＦ１２−５の出力、ＦＦ１２−５とＦＦ１２−６の出力のいずれかをペアーで選択してＡＮＤ回路１３へ出力する。ＡＮＤ回路１３はＦＦの入力信号と出力信号の反転を入力してイネーブル信号をＦＦ１２−７のイネーブル端子へ出力する。
【００５０】
ＦＦ１２−７はデータ端子Ｄに同期信号を、クロック端子にチャンネルクロックを、イネーブル端子にＡＮＤ回路からのイネーブル信号をそれぞれ入力して、遅延同期信号を生成する。ＦＦ１２−７はイネーブル信号に同期してＦＦ動作を開始し、チャンネルクロックの１Ｔ遅延させる。従って、同期信号検出回路７において検出された同期信号は、イネーブル信号の立ち上がりエッジから１Ｔ遅延した遅延同期信号として端子Ｑから出力される。その結果、遅延量選択信号によりｎ段目のＦＦの出力を選択した場合には、期間ｎＴの確定遅延期間を遅延同期信号に与えることができる。
【００５１】
上記の例においては６段のＦＦの各出力を選択した場合を示しているが、クロックツリー後の最大値遅延時間に応じて段数を設定することができる。
【図面の簡単な説明】
【００５２】
【図１】本実施の形態における光ディスク装置の構成を示す機能ブロック図である。
【図２】本実施の形態における遅延期間を説明するためのタイミングチャート図である。
【図３】本実施の形態における同期信号遅延回路の構成を示す機能ブロック図である。
【図４】本実施の形態における開始タイミングを説明するためのタイミングチャート図である。
【図５】本実施の形態における同期信号遅延回路の構成を示す機能ブロック図である。
【図６】従来公知のウォブル検出信号これに含まれるデータを示すタイミングチャート図である。
【図７】クロックツリーによる遅延を示す概念図である。
【符号の説明】
【００５３】
１  光ディスク
２  スピンドルモータ
３  ピックアップ
４  サーボ
５  ウォブル信号再生増幅回路
６  ウォブル信号復調回路
７  同期信号検出回路
８  同期信号遅延回路
９  書き込み開始位置決定回路
１０  ライトストラテジィ生成回路
１１  レーザードライバー
１２−１、１２−２、１２−３、１２−４、１２−５、１２−６、１２−７  フリップフロップ
１３  ＡＮＤ回路
１４  遅延量選択回路
１５−１、１５−２  切替回路
２０  システムコントローラー
【図１】
2007087543.tif 000003
【図２】
2007087543.tif 000004
【図３】
2007087543.tif 000005
【図４】
2007087543.tif 000006
【図５】
2007087543.tif 000007
【図６】
2007087543.tif 000008
【図７】
2007087543.tif 000009